(57)【特許請求の範囲】
【請求項１】
平面部と、この平面部にほぼ直交する複数の側面部とを有し、
上記複数の側面部のうち１つの側面部にバネスライダを固定し、
光ディスクカートリッジをカートリッジホルダに挿入したときに、上記バネスライダの突起部が、光ディスクカートリッジのシャッタの穴部に係合して、シャッタを保持するカートリッジホルダにおいて、
上記突起部は、上記カートリッジホルダの平面部がある側とは反対側に、上記穴部の側辺部を圧接する
ことを特徴とするカートリッジホルダ。
【請求項２】
平面部と、この平面部にほぼ直交する複数の側面部とを有し、
上記複数の側面部のうち１つの側面部にバネスライダを固定し、
光ディスクカートリッジをカートリッジホルダに挿入したときに、上記バネスライダの突起部が、光ディスクカートリッジのシャッタの穴部に係合して、シャッタを保持するカートリッジホルダを有する光ディスク装置において、
上記突起部は、上記カートリッジホルダの平面部がある側とは反対側に、上記穴部の側辺部を圧接する
ことを特徴とする光ディスク装置。
【発明の詳細な説明】
【０００１】
【発明の属する技術分野】
本発明は、カートリッジホルダおよび光ディスク装置に関する。詳しくは、バネスライダの突起部を、カートリッジホルダの平面部がある側とは反対側に、シャッタの穴部の側辺部を圧接させることにより、シャッタが光ディスクカートリッジの厚み方向に開いた状態になっていても、ローディングまたはストア動作する際にシャッタが光ディスク装置の他の構成部分に引っかかってしまうのを防止できるようにしたカートリッジホルダおよびこれを用いた光ディスク装置に係るものである。
【０００２】
【従来の技術】
従来、シャッタを有する光ディスクカートリッジを使用してローディングおよびストア動作させる光ディスク装置においては、ローディングおよびストア動作はカートリッジホルダを動かすことにより行われていた。
【０００３】
ここで、従来の光ディスク装置におけるカートリッジホルダについて説明する。
図６は、光ディスクカートリッジ、およびこの光ディスクカートリッジを保持するカートリッジホルダを示したものである。
図において、光ディスクカートリッジ３の側辺にはシャッタ４が設けられている。また、シャッタ４はその側辺に穴部４ａを有している。
一方、カートリッジホルダ１の側面部１ｂには、バネスライダ２が固定されている。このバネスライダ２にはその一端に突起部２ａが設けられている。この突起部２ａはバネスライダ２の延長部分を折り曲げた形状になっている。
【０００４】
ここで、光ディスクカートリッジ３をカートリッジホルダ１に挿入すると、バネスライダ２の突起部２ａが光ディスクカートリッジ３のシャッタ４の穴部４ａに入り込む。シャッタ４は光ディスクカートリッジ３の側辺を移動し、シャッタ４が開くことになる。ここで、バネスライダ２の突起部２ａは、シャッタ４が不要に移動するのを防止して保持する役割を有する。
【０００５】
次に、光ディスクカートリッジ３をカートリッジホルダ１から引き出すと、バネスライダ２の突起部２ａがシャッタ４の穴部４ａに当たり、シャッタ４は光ディスクカートリッジ３の側辺を移動しながら、光ディスクの露出面を閉じることになる。このように、光ディスクカートリッジ３をカートリッジホルダ１から引き出すときは、バネスライダ２の突起部２ａがシャッタ４を閉じる役割を果たす。
【０００６】
【発明が解決しようとする課題】
しかしながら、上述した従来のカートリッジホルダにおいては、シャッタが何らかの要因により光ディスクカートリッジの厚み方向に開いた状態で光ディスクカートリッジを挿入したときには、ローディングあるいはストア動作時にシャッタが光ディスク装置の他の構成部分に引っかかってしまうという問題があった。
【０００７】
本発明は、このような課題に鑑みてなされたものであり、シャッタが光ディスクカートリッジの厚み方向に開いた状態になっていても、ローディングまたはストア動作する際にシャッタが光ディスク装置の他の構成部分に引っかかってしまうのを防止できるカートリッジホルダおよびこれを用いた光ディスク装置を提供することを目的とする。
【０００８】
【課題を解決するための手段】
本発明のカートリッジホルダは、平面部と、この平面部にほぼ直交する複数の側面部とを有し、複数の側面部のうち１つの側面部にバネスライダを固定し、光ディスクカートリッジをカートリッジホルダに挿入したときに、バネスライダの突起部が、光ディスクカートリッジのシャッタの穴部に係合して、シャッタを保持するカートリッジホルダにおいて、突起部が、カートリッジホルダの平面部がある側とは反対側に、穴部の側辺部を圧接するものである。
【０００９】
また、本発明の光ディスク装置は、平面部と、この平面部にほぼ直交する複数の側面部とを有し、複数の側面部のうち１つの側面部にバネスライダを固定し、光ディスクカートリッジをカートリッジホルダに挿入したときに、バネスライダの突起部が、光ディスクカートリッジのシャッタの穴部に係合して、シャッタを保持するカートリッジホルダを有する光ディスク装置において、突起部が、カートリッジホルダの平面部がある側とは反対側に、穴部の側辺部を圧接するものである。
【００１０】
本発明のカートリッジホルダおよび光ディスク装置によれば、バネスライダの突起部が、カートリッジホルダの平面部がある側とは反対側に、シャッタの穴部の側辺部を圧接するので、支点を中心にしてモーメントが働き、シャッタが光ディスクカートリッジの下側の面に密着するように移動する。
【００１１】
【発明の実施の形態】
以下、本発明の実施の形態について説明する。
ここでは、カートリッジホルダおよび光ディスク装置に係る発明の実施の形態について図１〜図５を参照しながら説明する。
【００１２】
図１は、光ディスクカートリッジ、およびこの光ディスクカートリッジを保持するカートリッジホルダの外観を示したものである。
図において、光ディスクカートリッジ３の側辺にはシャッタ４が設けられている。このシャッタ４は、光ディスクカートリッジ３の側辺および裏面に設けられ、光ディスクの再生時には光ディスクが露出するように開くものである。また、シャッタ４は、光ディスクカートリッジ３がカートリッジホルダ１から取りだされたときは、外からのほこりやごみが光りディスクの表面に付着しないように閉じるものである。また、シャッタ４はその側辺に穴部４ａを有している。この穴部４ａについては後に詳述する。
【００１３】
図１において、カートリッジホルダ１は、光ディスクカートリッジ３が挿入されたときに光ディスクカートリッジ３を保持するものであり、大きく分けて平面部１ａと側面部１ｂ，１ｃより構成されるものである。
ここで、平面部１ａは、カートリッジホルダ１の主要な構成部分であり、カートリッジホルダ１に設けられた他の構成部分を固定する基盤的な役割を果たすものである。
【００１４】
また、カートリッジホルダ１には、この平面部１ａにほぼ直交する複数の側面部１ｂ，１ｃが設けられている。これらの複数の側面部１ｂ，１ｃのうち１つの側面部１ｂには、バネスライダ２が固定されている。
この側面部１ｂに固定されたバネスライダ２については、その詳細を図２に示す。
【００１５】
図２において、正面図Ａおよび底面図Ｂに示すように、バネスライダ２にはその本体部２ｈの一端に突起部２ａが設けられている。
ここで、突起部２ａの構成要素である上面部２ｄは、底面図Ｂの拡大図Ｄに示すように、バネスライダ２の本体部２ｈの一端に接続している。この上面部２ｄの厚さは、バネスライダ２の本体部２ｈと同じ厚さとなっており、また上面部２ｄの平面方向はバネスライダ２の本体部２ｈの平面方向に対して直角の方向をなしている。また、その平面方向の形状はほぼ三角形状を有している。
【００１６】
この上面部２ｄには、正面図Ａの拡大図Ｃおよび底面図Ｂの矢視図Ｅに示すように、側面部２ｅが連続して設けられている。この側面部２ｅは、上面部２ｄの平面方向に対してほぼ直角方向を呈している。また、側面部２ｅは、底面図Ｂの拡大図Ｄに示すように、上面部２ｄの三角形状の２辺に沿って湾曲しておりほぼＬ字型になっている。
【００１７】
この側面部２ｅには、正面図Ａの拡大図Ｃおよび底面図Ｂの矢視図Ｅに示すように、下面部２ｆが連続して設けられており、その方向は側面部２ｅの方向に対してほぼ直角の方向をしている。また、この下面部２ｆは、底面図Ｂの拡大図Ｄに示すように、下面部２ｆの平面方向において、上面部２ｄの三角形状の２辺からほぼ一定の幅を有している。
【００１８】
この下面部２ｆは、正面図Ａの拡大図Ｃおよび底面図Ｂの矢視図Ｅに示すように、緩やかなテーパを有する階段状になっており、このテーパ部分が当接部２ｇとなっている。この当接部２ｇは、光ディスクカートリッジ３のシャッタ４の穴部４ａと当接する。すなわち、突起部２ａが光ディスクカートリッジ３のシャッタ４の穴部４ａに入ったときに、この当接部２ｇが穴部４ａの側辺に当接してシャッタ４を保持する。この動作については、後に詳述する。
【００１９】
バネスライダ２の本体部２ｈには、底面図Ｂに示すように、突起部２ａを設けた側の突起部２ａの近くに折曲部２ｉが設けられている。この折曲部２ｉは、突起部２ａが光ディスクカートリッジ３のシャッタ４の穴部４ａに入るときに、光ディスクカートリッジ３の平面方向で中心に向かう方向にバネ力を発生させる部分でありバネスライダ２の重要な構成部分である。
【００２０】
バネスライダ２の本体部２ｈのほぼ中央には、正面図Ａおよび底面図Ｂに示すように、平板部２ｃが設けられている。この平板部２ｃの平面方向は、本体部２ｈの平面方向に対してほぼ直角をなしており、その周囲には平板部２ｃの平面方向に対してほぼ直角方向の側面部があり一定の幅を有している。この平板部２ｃは、後述するように光ディスクカートリッジ３のシャッタ４の側辺に当接してシャッタを押す役割をなすものである。
【００２１】
バネスライダ２の本体部２ｈの突起部２ａがある側とは反対側の端部には、正面図Ａおよび底面図Ｂに示すように、凹部２ｂが設けられている。この凹部２ｂは、光ディスクカートリッジ３がカートリッジホルダ１に挿入されたときに光ディスクカートリッジ３がその水平方向にがたつくのを圧接して保持するものである。
【００２２】
次に、光ディスクカートリッジ３が、カートリッジホルダ１に挿入されたときの、カートリッジホルダ１のバネスライダ２と光ディスクカートリッジ３のシャッタ４との動作について、図３および図４を参照しながら説明する。
【００２３】
光ディスクカートリッジ３をカートリッジホルダ１に挿入したとき、すなわち図３において光ディスクカートリッジ半体３ａが矢印の方向に進んだとき、バネスライダ２の突起部２ａが光ディスクカートリッジ半体３ａのシャッタ４の穴部４ａに入り込む。
【００２４】
同時に、図３に示すように、バネスライダ２の平板部２ｃの側辺がシャッタ４の側辺にぶつかる。図において、光ディスクカートリッジ半体３ａがさらに進むと、このバネスライダ２の側辺がシャッタ４の側辺を押し続けることになる。この結果、シャッタ４は押されながら光ディスクカートリッジ半体３ａの側辺を光ディスクカートリッジ半体３ａの平面方向に移動し、シャッタ４が開くことになる。
【００２５】
光ディスクカートリッジ３がカートリッジホルダ１に挿入し終わると、図４に示す状態になる。すなわち、バネスライダ２の突起部２ａは光ディスクカートリッジ３のシャッタ４の穴部２ａに入り込んだ状態になる。ここで、バネスライダ２の突起部２ａは、シャッタ４が不要に移動するのを防止して保持する役割を有する。また、バネスライダ２の平板部２ｃはシャッタ４を押した状態になる。この結果、シャッタ４は全開状態になる。
【００２６】
次に、光ディスクカートリッジ３をカートリッジホルダ１から引き出すときの動作について、図４を参照しながら説明する。
図において、光ディスクカートリッジ３をカートリッジホルダ１から引き出すと、バネスライダ２の突起部２ａがシャッタ４の穴部４ａに当たる。この場合、平板部２ｃは、シャッタ４の側辺から離れシャッタ４との力の作用関係はなくなる。
【００２７】
光ディスクカートリッジ３を引き続けると、バネスライダ２の突起部４ａがシャッタ４の穴部４ａを押し続ける。この結果、シャッタ４は光ディスクカートリッジ３の側辺を移動しながら、光ディスクの露出面を覆うように閉じることになる。そして、光ディスクカートリッジ３がカートリッジホルダ１から取り出されたときには、光ディスクカートリッジ３のシャッタ４は完全に閉じられることになる。このように、光ディスクカートリッジ３をカートリッジホルダ１から引き出すときは、バネスライダ２の突起部２ａがシャッタ４を閉じる役割を果たすことになる。
【００２８】
次に、バネスライダ２の突起部２ａがシャッタ４の穴部４ａに入っているときに、この突起部２ａがシャッタ４にどのように作用するかを、図５を参照しながら説明する。
図５は、図４におけるａ−ａ断面を矢印の方向から見た状態を表したものである。図５において、シャッタ４の部分のうち、光ディスクの露出面を覆っている部分、すなわち図面上光ディスクカートリッジ３の下側にある部分と、光ディスクカートリッジ３の中に入っている部分とは本来は平行になっているはずであるが、環境の変化、特に温度変化などによるシャッタ４の変形、人為的な誤動作によるシャッタ４の変形などにより両者が平行でなく開いてしまう場合がある。図５のシャッタ４のハッチングの部分はその様子を表したものである。
【００２９】
ここで、バネスライダ２の突起部２ａは、バネスライダ２の本体部２ｈのバネ力により、シャッタ４の窓部４ａの側辺部４ｂと突起部２ａとがぶつかっている点、すなわち作用点５に対して押しつける力を作用させている。その力は、図に示すようにカートリッジホルダ１の平面部１ａがあるのとは反対方向でややカートリッジホルダ１の中心よりに斜めに働いている。
【００３０】
このときの力の大きさをｍとする。したがって、シャッタ４はｍの大きさの力をｍの力の方向に受けることになる。また、シャッタ４は作用点５の部分で穴部４ａ下側に向かってｍの力を受けるので、支点６を中心にしてＦ＝ｍｌのモーメントが働き、シャッタ４が光ディスクカートリッジ３の下側の面に密着しようとする。すなわち、図において点線で示したところにシャッタ４が移動するようなモーメントが働くことになる。
【００３１】
一方、シャッタの自重をＷとし、シャッタの重心にＷの力が作用すると、図に示すようなＷの荷重が重心にかかることになる。この結果、シャッタ４の自重によって発生するモーメントＴ＝ＷＬも発生する。したがって、シャッタ４を光ディスクカートリッジ３に密着させるためには、Ｆ＞Ｔが成立することが条件になる。
【００３２】
ここで、十分な大きさのＦの力を発生させるためには、バネスライダ２のバネ力を十分に大きくする必要がある。このためには、バネスライダ２の本体部２ｈの厚さを厚くすること、本体部２ｈの平面方向の幅を広くすること、またはバネスライダ２の材料として縦弾性係数（ヤング係数）の大きな材料を採用することなどの方法がある。ただし、バネ力を大きくする方法は、これらの方法に限るわけではなく、このほかに通常採用し得る手段であればいずれの方法でもかまわないことはもちろんである。
【００３３】
このように、バネスライダ２の突起部２ａにより、シャッタ４の穴部４ａにモーメントが働くことで開き気味のシャッターを元の正常な状態に近づかせることができる。従来のバネスライダは、このようなＦ＝ｍｌのモーメントが働かなかったが、本例においてはバネスライダ２の突起部２ａを穴部４ａに圧接させることにより、作用点５に常にバネの力が加わるようになり、垂れ下がったシャッタ４を上に持ち上げることができる。
【００３４】
なお、バネスライダ２の突起部２ａの形状は、上述した形状に限るわけではなく、このほかの形状を採用することができることはもちろんである。例えば、突起部２ａの形状を箱状にしたり、バネスライダ２の本体部２ｈの延長部分を単に折り曲げた形状にしたりするなどの種々の形状を採用することができる。要するに、突起部２ａがシャッタ４の穴部４ａに入り込んだときにシャッタ４の穴部４ａの側辺を押圧できる形状であればどのような形状であってもかまわない。
【００３５】
また、突起部２ａのテーパがついている部分は、上述の場合に限らず、もっと緩やかにすることもできるし、あるいはもっと急にすることもできる。要するにこのテーパの部分がシャッタ４の穴部４ａの側面を十分な力で押圧できるような形状であれば、テーパの大きさは限定されないのである。
【００３６】
また、突起部２ａの下面部２ｆの表面の摩擦係数は、特に限定されるものではない。ただし、摩擦係数を小さくして突起部２ａの下面部２ｆとシャッタ４の穴部４ａの側辺とを滑りやすくすることにより、より有効に押圧力をシャッタ４の穴部４ａの側辺に作用させることができる。
【００３７】
以上のことから、本発明の実施の形態によれば、シャッタを用いる光ディスクカートリッジを使用してローディングおよびストア動作させる光ディスク装置において、そのシャッタが何らかの要因で光ディスクカートリッジの厚み方向に開いたままの状態になっていても、ローディングまたはストア動作する際にシャッタを光ディスク装置の他の構成部分に引っかかってしまい、動作不能になってしまうのを防止することができる。
【００３８】
すなわち、シャッタを用いた光ディスクカートリッジを使用した光ディスク装置において、シャッタが光ディスクカートリッジの厚み方向に開いてしまっていることにより、動作停止してしまうのを防止することができる。
【００３９】
また、光ディスクメディアの普及により、規格外品、すなわちシャッタが若干開いたようなものの流通が懸念されるが、カートリッジホルダの機構の改良により、シャッタが開いていることによる障害を防止することができる。
【００４０】
なお、上述の例においては、再生専用すなわちシャッタが光ディスクカートリッジの一面のみに存在する光ディスクカートリッジについての適用について説明したが、記録と再生ができる光ディスクすなわち光ディスクカートリッジの両面にシャッタが存在する光ディスクカートリッジについても適用することができることはもちろんである。
【００４１】
また、上述した例では、光ディスクカートリッジを水平に挿入する装置ついて説明したが、このような装置ばかりでなく、光ディスクカートリッジを垂直に挿入するタイプの光ディスク装置にも適用できることはもちろんである。
【００４２】
また、上述したカートリッジホルダは、一般的な光ディスク装置に適用することができる。すなわち、光ディスク装置としては、一定の範囲のものに限定されるわけではなく、従来使用されている光ディスク装置、または、将来において使用される一般的な光ディスク装置にも適用できることはもちろんである。
【００４３】
また、本発明は上述の実施の形態に限らず本発明の要旨を逸脱することなくその他種々の構成を採り得ることはもちろんである。
【００４４】
【発明の効果】
本発明は、以下に記載されるような効果を奏する。
バネスライダの突起部が、カートリッジホルダの平面部がある側とは反対側に、シャッタの穴部の側辺部を圧接するので、シャッタが光ディスクカートリッジの厚み方向に開いた状態になっていても、ローディングまたはストア動作する際にシャッタが光ディスク装置の他の構成部分に引っかかってしまうのを防止することができる。
【図面の簡単な説明】
【図１】カートリッジホルダに係る発明の実施の形態を示す斜視図である。
【図２】カートリッジホルダに用いるバネスライダの正面図とその拡大図、並びに底面図とその拡大図および矢視図である。
【図３】光ディスクカートリッジのシャッタと、バネスライダの突起部および平板部との関係を示した斜視図である。
【図４】光ディスクカートリッジをカートリッジホルダに挿入したときの、シャッタと、バネスライダの突起部および平板部との関係を示した底面図である。
【図５】バネスライダの突起部がシャッタの側辺部を圧接することにより、モーメントが発生する様子を表した断面図である。
【図６】従来のカートリッジホルダを示した斜視図である。
【符号の説明】
１‥‥カートリッジホルダ、１ａ‥‥平面部、１ｂ，１ｃ‥‥側面部、
２‥‥バネスライダ、２ａ‥‥突起部、２ｂ‥‥凹部、２ｃ‥‥平板部、
２ｄ‥‥上面部、２ｅ‥‥側面部、２ｆ‥‥下面部、２ｇ‥‥当接部、
２ｈ‥‥本体部、２ｉ‥‥折曲部、３‥‥光ディスクカートリッジ、
３ａ‥‥光ディスクカートリッジ半体、４‥‥シャッタ、４ａ‥‥穴部、
４ｂ‥‥側辺部
【図１】
0003903584.tif 000002
【図２】
0003903584.tif 000003
【図３】
0003903584.tif 000004
【図４】
0003903584.tif 000005
【図５】
0003903584.tif 000006
【図６】
0003903584.tif 000007